(57)【要約】      （修正有） 【課題】液体容器本体と着脱自在に装着する構造体によって、卓上用や直接口を持っていき飲むことのできる携帯用更にはコーヒー、紅茶等のドリッパーによる抽出液を貯えることのできる多機能を有している。【解決手段】金属製の口元６を広口とする真空二重容器２を設け、この真空二重容器の肩部に肩部材３を固定した液体容器本体１ａを設け、この肩部材に真空二重容器内の液体を注出する構造体４或いは真空二重容器内へ抽出液を抽出する構造体４を着脱自在に装着する。上記構造体４が中央に真空二重容器２の口元と連通する開口を有した受部９と、受部前方の注ぎ口部１０と、受部より垂下した外周壁部１１と、外周壁部の後方に把手１２とを備えた水切部材４ａ、又は真空二重容器２の口元を開閉する栓４ｂ、４ｃ或いは真空二重容器２内へ抽出するドリッパー４ｄのいずれか一つであり、それぞれが肩部材に取り替え自在に装着してなる構成としている。【選択図】図２
2008073136.tif 000002
【特許請求の範囲】
【請求項１】
金属製の内壁（２ａ）、外壁（２ｂ）を有し、口元（６）を広口とする真空二重容器（２）を設け、この真空二重容器の肩部に肩部材（３）を固定した液体容器本体（１ａ）を設け、液体容器本体の肩部材に真空二重容器内の液体を注出する構造体（４）或いは真空二重容器内へ抽出液を抽出する構造体（４）を着脱自在に装着した液体容器（１）に於いて、上記構造体（４）が中央に真空二重容器（２）の口元と連通する開口を有した受部（９）と、受部前方の注ぎ口部（１０）と、受部より垂下した外周壁部（１１）と、外周壁部の後方に把手（１２）とを備えた水切部材（４ａ）、又は真空二重容器（２）の口元を開閉する栓（４ｂ）、（４ｃ）或いは真空二重容器（２）内へ抽出するドリッパー（４ｄ）のいずれか一つであり、それぞれが肩部材に取り替え自在に装着してなることを特徴とした液体容器。
【発明の詳細な説明】
【技術分野】
【０００１】
本発明は、金属製内、外壁を有する真空二重容器の外壁を外装とし、卓上用、携帯用又はドリッパーによる抽出用として変化可能な液体容器に関するものである。
【背景技術】
【０００２】
従来、液体容器としては、真空二重の中びんを囲んだ容器本体を設け、容器本体の上部で中央を開口した上面開口部、上面開口部前壁を貫通して前方に延びた吐出口、上面開口部後方に延びた把手を容器本体に一体成形し、上面開口部に栓を着脱自在に装着した構造の液体容器が実開平４−８０８４６号公報（特許文献１、図２参照）として存在する。
【０００３】
【特許文献１】実開平４−８０８４６号公報（特許文献１、図２参照）
【０００４】
以下、特許文献１の図２により従来の液体容器について説明する。
この特許文献１の液体容器は、ガラス製真空二重の中びん２を設け、この中びんを囲んで、上部に中央を開口した上面開口部３、上面開口部前壁を貫通して前方に延びた吐出口１６、及び上面開口部後方に延びた把手とを一体的に成形した容器本体１を設け、上面開口部３に中びん２の口元を開閉する栓５を着脱自在に装着し、栓５にコーヒー、紅茶等を抽出するドリッパーとなる蓋１２付きフイルター１１を内蔵し、コーヒー粉、紅茶葉等を収納したフイルター１１内に上方より液体を注ぎ入れ、フイルター下方より抽出して液体を栓５をしたまま中びん２内に貯蔵する構造としている。
【発明の開示】
【発明が解決しようとする課題】
【０００５】
ところが、、この種の液体容器では、単に、中びんの口元を開閉する栓に通常の中栓機能とコーヒー、紅茶等の抽出液を抽出する機能とを備えているにすぎないために、栓の構造が非常に複雑で、不良品を増大させ生産効率を低下させると共に中びんを囲んだ容器本体に対しても構造が複雑で、しかも大きな形状となって嵩張り持ち運びに不便であるという問題点があった。
【０００６】
又、この液体容器は、卓上用であって屋外に持ち運びするには不便であり、直接口を持っていき飲むこともできないという問題点があった。
【課題を解決するための手段】
【０００７】
本発明は、金属製の内壁２ａ、外壁２ｂを有し、口元６を広口とする真空二重容器２を設け、この真空二重容器の肩部に肩部材３を固定した液体容器本体１ａを設け、液体容器本体の肩部材に真空二重容器内の液体を注出する構造体４或いは真空二重容器内へ抽出液を抽出する構造体４を着脱自在に装着した液体容器１に於いて、上記構造体４が中央に真空二重容器２の口元と連通する開口を有した受部９と、受部前方の注ぎ口部１０と、受部より垂下した外周壁部１１と、外周壁部の後方に把手１２とを備えた水切部材４ａ、又は真空二重容器２の口元を開閉する栓４ｂ、４ｃ或いは真空二重容器２内へ抽出するドリッパー４ｄのいずれか一つであり、それぞれが肩部材に取り替え自在に装着してなる構成としている。
【発明の効果】
【０００８】
本発明は、従来の問題点を解決したものであって、構造が至って簡単であり、液体容器本体と着脱自在に装着する構造体によって、卓上用や直接口を持っていき飲むことのできる携帯用更にはコーヒー、紅茶等のドリッパーによる抽出液をそのまま確実に貯えることのできる多機能を有している。
【発明を実施するための最良の形態】
【０００９】
液体容器１は、内壁２ａと外壁２ｂとからなるステンレス製の真空二重容器２と、この真空二重容器２の肩部に装着固定した合成樹脂製の肩部材３と、真空二重容器２の底部を覆う底体５と、真空二重容器２、肩部材３及び底体５との結合を液体容器本体１ａとし、液体容器本体１ａの肩部材３に装着する構造体４とにて構成している。
【００１０】
液体容器本体１ａの真空二重容器２は、図２乃至図８に示すように、有底筒状の内壁２ａと、内壁２ａと間隔を隔てて囲んだ外壁２ｂとからなり、内壁２ａと外壁２ｂの口元を接合し、底部にて真空引きし、内、外壁間を真空としている。
【００１１】
この真空二重容器２の口元６は、広口としており、後述の肩部材３及び底体５にて囲まれた部分を除く胴体を液体容器本体１ａの外装としている。
真空二重容器２の外壁２ｂの肩部は、胴体より段状に狭まっており、合成樹脂材料の肩部材３を装着固定している。
【００１２】
液体容器本体１ａの肩部材３は、合成樹脂材料により図２、図４、図６及び図８に示すように、真空二重容器２の口元６周りを覆い、内周壁が真空二重容器２の肩部外形状に沿い、外周壁が段状に形成されて、外周壁上側に雄ネジ７を刻設している。
【００１３】
液体容器本体１ａの底体５は、図２、図４、図６及び図８に示すように、ステンレス材料により真空二重容器２の真空引きした外壁２ｂ底壁を覆って外壁２ｂの胴体下部に溶着している。
【００１４】
液体容器本体１ａに対して卓上用として用いる際には、図１及び図２に示すように、構造体４は、中央に真空二重容器２の口元６と連通する開口８を有する受部９と、受部９前方の注ぎ口部１０と、受部９より垂下した外周壁部１１と、外周壁部１１の後方に把手１２とを備えた水切部材４ａからなっており、この水切部材４ａの受部９に真空二重容器２の口元６を閉鎖するレバー式栓２０を着脱自在に装着している。
【００１５】
水切部材４ａの受部９の内周壁には、後述のレバー式栓２０を螺着するレバー式栓用雌ネジ１３を刻設しており、外周壁部１１の内周壁には、肩部材３の雄ネジ７と螺着する雌ネジ１４を刻設している。
１５は、シールパッキンで真空二重容器２の口元６に嵌め込まれており、水切部材４ａの受部９下端と密に接触している。
【００１６】
レバー式栓２０は、図２に示すように、水切部材４ａのレバー式栓用雌ネジ１３に螺着し、真空二重容器２の口元６を閉鎖するレバー式栓用雄ネジ１６を外周壁に刻設し、レバー１７の上下動に伴い弁体１８を上下動させて、栓内液通路１９を通り注出口２１より真空二重容器２内の液体を水切部材４ａの注ぎ口部１０へ導き吐出するようにしている。
【００１７】
この水切部材４ａの受部９に螺着するレバー式栓２０は、特に限定されるものではなく、通常の螺着式の中栓といわれるものであっても何ら支障をきたすものではない。
【００１８】
この構造体４である水切部材４ａは、液体容器本体１ａの肩部材３に螺着することで液体容器本体１ａに保持され、レバー式栓２０又は通常の中栓を装着することにより、液体容器１を卓上用として十分使用することができる。
【００１９】
次に、液体容器本体１ａに対して卓上用、携帯用どちらでも用いる際には、図３及び図４に示すように、構造体４は、ネジ式栓４ｂからなっており、液体容器本体１ａの構造は、図１及び図２に示す水切部材４ａの場合と全く同一のものである。
【００２０】
ネジ式栓４ｂは、真空二重容器２の口元６より内部へ深く入り込んだ椀状の有底筒壁部２２と、この有底筒壁部２２上端より外方へ延びた環状壁部２３と、環状壁部２３先端より下方へ垂下した外筒壁部２４とからなる栓本体２５と、有底筒壁部２２の上端を閉鎖する栓蓋２６と、有底筒壁部２２と栓蓋２６との内部空間に装填された断熱材２７とからなっている。
【００２１】
ネジ式栓４ｂの外筒壁部２４の内周壁には、液体容器本体１ａの肩部材３の雄ネジ７に螺着する雌ネジ１４を刻設している。
２８はパッキンである。
【００２２】
この構造体４であるネジ式栓４ｂは、液体容器本体１ａの肩部材３に螺着することで、真空二重容器２の口元６を閉鎖し、液体容器１を卓上用としても又余分な把手もないためにそのまま持ち運びできて携帯用としても十分使用することができる。又ネジ式栓４ｂを取りはずせば真空二重容器２の口元６が広いために簡単に液体を真空二重容器２内へ注ぎ入れることができる。更に液体容器１の大きな割合を占める胴体部分が、真空二重容器２の外壁２ｂの胴部を直接外装としているので、計量で嵩張らず携帯用として持ち運びに便利である。
【００２３】
次に、液体容器本体１ａに対して屋外スポーツ用として用いる際には、図５及び図６に示すように、構造体４は、吸い口付栓４ｃからなっており、液体容器本体１ａの構造は、図１乃至図４に示す水切部材４ａ又はネジ式栓４ｂの場合と全く同一のものである。
【００２４】
吸い口付栓４ｃは、真空二重容器２の口元６を閉鎖する蓋部２９と、蓋部２９の外周端より下方に垂下した外周部３０と、蓋部２９の中央で真空二重容器２の口元６と連通する吸い口筒部３１と、吸い口筒部３１に螺着して吸い口３２を閉鎖するキャツプ３３とからなっている。
【００２５】
吸い口付栓４ｃの外周部３０の内周壁には、液体容器本体１ａの肩部材３の雄ネジ７に螺着する雌ネジ１４を刻設している。
３４は、真空二重容器２の口元６内側に挿入される環状のガイド片である。
【００２６】
吸い口筒部３１の外周壁には、キャツプ３３を螺着するキャツプ用雄ネジ３５を刻設している。
キャツプ３３は、有底筒状で内周壁にキャツプ用雄ネジ３５と螺着するキャツプ用雌ネジ３６を刻設しており、逆位にして吸い口筒部３１に被っている。
【００２７】
このキャツプ３３は、持ち運び時又は取り外し時に無くさないよう吸い口筒部３１下端と連結部材（図示せず）を介して連結するようにしてもよい。
【００２８】
この構造体４である吸い口付栓４ｃは、キャツプ３３を吸い口筒部３１に螺着し、吸い口付栓４ｃの外周部３０の雌ネジ１４を液体容器本体１ａの肩部材３の雄ネジ７に螺着することで携帯用として持ち運びでき、屋外特にスポーツ時キャツプ３３のみを取り外すだけで吸い口３２に口を持っていき、一気に飲むことができる。又吸い口付栓４ｃをはずせば真空二重容器２の口元６が広いために簡単に液体を真空二重容器２内へ注ぎ入れることができる。更に液体容器１の大きな割合を占める胴体部分が、真空二重容器２の外壁２ｂの胴部を直接外装としているので、計量で嵩張らず携帯用として持ち運びに便利である。
【００２９】
次に、液体容器本体１ａに対して抽出される抽出液をそのまま貯蔵する際には、図７，図８に示すように、構造体４は、ドリッパー４ｄからなっており、液体容器本体１ａの構造は、図１乃至図６に示す水切部材４ａ、ネジ式栓４ｂ又は吸い口付栓４ｃの場合と全く同一のものである。
【００３０】
ドリッパー４ｄは、真空二重容器２の口元６上に載置する台座３７と、台座３７の中央より上方に延びて真空二重容器２内と連通する複数の小孔３８を備えた濾斗部３９と、台座３７の下端で真空二重容器２の口元６内側に挿入されるガイド筒部４０とを一体成形しており、濾斗部３９には濾紙を敷いて後にコーヒー粉、紅茶葉等を載せている。この状態で濾斗部３９上方より熱湯を注ぐと濾斗部の小孔３８よりコーヒー、紅茶等の抽出液が滴下し、真空二重容器２へ導かれる。
【００３１】
この構造体４であるドリッパー４ｄは、単に液体容器本体１ａの肩部材３の上面で真空二重容器２の広口の口元６に簡単に載せ、濾斗部３９に載置したコーヒー粉、紅茶葉等の上から熱湯を注ぐだけでコーヒー、紅茶等の抽出液をそのまま真空二重容器２内へ滴下することができ、後にネジ式栓等により栓蓋をすればいつでもコーヒー、紅茶等の抽出液をおいしく味わうことができる。
【００３２】
このように液体容器本体１ａに対して肩部材３に装着する構造体４を変化させることにより、卓上用として又は携帯用更にはスポーツ時に或いは液体抽出用として多種にわたって変化させ使用することができるものである。
【００３３】
以上本発明の代表的と思われる実施例について説明したが、本発明は必ずしもこれら実施例構造のみに限定されるものではなく、本発明にいう前記の構成要件を備え、かつ、本発明にいう目的を達成し、本発明にいう効果を有する範囲内において適宜改変して実施することができるものである。
【図面の簡単な説明】
【００３４】
【図１】本発明の構造体が肩部材である実施例の斜視図。
【図２】本発明の構造体が肩部材である実施例の分解中央縦断面図。
【図３】本発明の構造体がネジ式栓である実施例の分解斜視図。
【図４】本発明の構造体がネジ式栓である実施例の中央縦断面図。
【図５】本発明の構造体が吸い口付き栓である実施例の分解斜視図。
【図６】本発明の構造体が吸い口付き栓である実施例の中央縦断面図。
【図７】本発明の構造体がドリッパーである実施例の分解斜視図。
【図８】本発明の構造体がドリッパーである実施例の中央縦断面図。
【００３５】
１…液体容器
１ａ…液体容器本体
２…真空二重容器
２ａ…内壁
２ｂ…外壁
３…肩部材
４…構造体
４ａ…水切部材
４ｂ…ネジ式栓
４ｃ…吸い口付き栓
４ｄ…ドリッパー
５…底体
６…口元
７…雄ネジ
８…開口
９…受部
１０…注ぎ口部
１１…外周壁部
１２…把手
１３…レバー式栓用雌ネジ
１４…雌ネジ
１５…シールパッキン
１６…レバー式栓用雄ネジ
【図１】
2008073136.tif 000003
【図２】
2008073136.tif 000004
【図３】
2008073136.tif 000005
【図４】
2008073136.tif 000006
【図５】
2008073136.tif 000007
【図６】
2008073136.tif 000008
【図７】
2008073136.tif 000009
【図８】
2008073136.tif 000010